(57)【特許請求の範囲】
【請求項１】
車体に開閉可能に取り付けられ、ドア本体と、窓ガラスで被覆される窓領域とを有する車両用ドアにおいて、
前記窓ガラスは、前記ドア本体に固定され前記窓領域の一部を覆う固定ガラスと、該ドア本体又は該固定ガラスに開閉可能に支持され該窓領域の残部を被覆する可動ガラスとからなり、
更に、閉時には前記可動ガラスを前記固定ガラスと略同一平面を形成する内側位置に保持し、開時には該可動ガラスを該内側位置よりも車両外側の外側位置に移動させて、該可動ガラスを該可動ガラスの平面方向に回動して移動可能とさせる開閉機構を備え、
前記開閉機構は、
前記可動ガラスの車体内側に固定された基部、及び該基部から車両内側に突出し前記可動ガラスの回動中心となる支持軸を有する支持部材と、
前記ドア本体に固定され前記支持軸を進退可能に収容する収容部材と、
前記収容部材の内部に収容され、一端が該収容部材に支持され他端が前記支持軸に支持されて、前記可動ガラスが前記内側位置に向けて後退するように該支持軸を車体内側に付勢する付勢部材と、
操作位置と非操作位置の間を移動可能に前記基部に保持され、該非操作位置に位置するときに、前記付勢部材により前記支持軸を車体内側に向けて後退させて前記可動ガラスを前記内側位置に位置させ、該操作位置に位置するとき、前記付勢部材に抗して前記可動ガラスが前記外側位置に向けて前進するように、前記支持軸を車両外側に移動させる操作部材と、を備えることを特徴とする車両用ドア。
【請求項２】
前記可動ガラスの車体内側に対向する面の縁部であって、前記固定ガラスの縁部に係合する部分には、前記可動ガラスが閉止しているときに前記固定ガラスの縁部に当接する弾性部材からなる突条が設けられている請求項１に記載の車両用ドア。
【請求項３】
前記可動ガラスの閉止時に前記固定ガラスの前記可動ガラスと当接する縁部には、前記可動ガラスの前記突条に当接する部分に、樹脂フレームが固定されている請求項２記載の車両用ドア。
【発明の詳細な説明】
【技術分野】
【０００１】
本発明は、窓ガラスを備えた車両用ドアに関する。
【背景技術】
【０００２】
車両用ドアの窓枠には、窓ガラスが開閉可能に取り付けられている。窓ガラスは、その全体が可動する可動ガラスである。窓ガラスの開時には、窓ガラスは窓枠の下縁に形成された隙間を通ってドア本体の内部に下降する。
【０００３】
ところで、近年、車体の軽量化のために、樹脂製のドアが開発されている。樹脂製のドアは、軽量であり、また加工しやすいという利点がある反面、剛性が低いという問題がある。そこで、ドアの衝突時の安全性を高める工夫がされている。例えば、特許文献１に開示されているように、ドア本体の内部全体にハニカム構造体を設けた車両用ドアがある。ハニカム構造体は、隔壁により区画された筒状の多数のセルからなり、車体の内外方向に隔壁が延びていて、車体内外方向の荷重に対して剛性が高い。
【０００４】
しかし、特許文献１のように、ドア本体の内部にハニカムなどの強度補強用の内部構造体を設けると、可動ガラスがドア本体の内部に下降したときに、内部構造体と干渉してしまう。このため、内部に補強構造体を設けたドアには、可動ガラスを併設することは困難であった。
【０００５】
そこで、図１７に示すように、ドア９の窓枠９０の一側に固定ガラス９２を嵌め込み、他側に可動ガラス９３を設けることが、特許文献２に提案されている。特許文献２では、可動ガラス９３が、固定ガラス９２を設けた領域の分だけ小さくなり、ドア本体９５の内部に下降する量を小さくできる。
【先行技術文献】
【特許文献】
【０００６】
【特許文献１】特開２００９−２６２９１６号公報
【特許文献２】特開昭６１−２８５１１７号公報
【発明の概要】
【発明が解決しようとする課題】
【０００７】
しかしながら、特許文献１では、可動ガラス９３を開けるときには、可動ガラス９３はドア９の内部に下降する。このため、可動ガラス９３が、窓ガラスの一部であって下降量が少なくできるとはいっても、ドア９の内部構造体に干渉するおそれがある。
【０００８】
また、ドア９の内部にハニカムなどの補強構造体を設けない場合であっても、可動ガラス９３下降分のスペースをドア本体９５の内部に確保する必要がある。このため、ドアのデザイン自由度に制約がある。
【０００９】
本発明はかかる事情に鑑みてなされたものであり、円滑に窓ガラスを開閉させることができ、ドアのデザイン自由度が高い車両用ドアを提供することを課題とする。
【課題を解決するための手段】
【００１０】
（１）本発明の車両用ドアは、車体に開閉可能に取り付けられ、ドア本体と、窓ガラスで被覆される窓領域とを有する車両用ドアにおいて、前記窓ガラスは、前記ドア本体に固定され前記窓領域の一部を覆う固定ガラスと、該ドア本体又は該固定ガラスに開閉可能に支持され該窓領域の残部を被覆する可動ガラスとからなり、更に、閉時には前記可動ガラスを前記固定ガラスと略同一平面を形成する内側位置に保持し、開時には該可動ガラスを該内側位置よりも車両外側の外側位置に移動させて、該可動ガラスを該可動ガラスの平面方向に回動して移動可能とさせる開閉機構を備え、
前記開閉機構は、
前記可動ガラスの車体内側に固定された基部、及び該基部から車両内側に突出し前記可動ガラスの回動中心となる支持軸を有する支持部材と、
前記ドア本体に固定され前記支持軸を進退可能に収容する収容部材と、
前記収容部材の内部に収容され、一端が該収容部材に支持され他端が前記支持軸に支持されて、前記可動ガラスが前記内側位置に向けて後退するように該支持軸を車体内側に付勢する付勢部材と、
操作位置と非操作位置の間を移動可能に前記基部に保持され、該非操作位置に位置するときに、前記付勢部材により前記支持軸を車体内側に向けて後退させて前記可動ガラスを前記内側位置に位置させ、該操作位置に位置するとき、前記付勢部材に抗して前記可動ガラスが前記外側位置に向けて前進するように、前記支持軸を車両外側に移動させる操作部材と、を備えることを特徴とする。
【００１１】
上記構成によれば、可動ガラスは、閉止時には、固定ガラスと略同一面を形成する内側位置に保持されている。開時には、可動ガラスは、内側位置よりも車体外側の外側位置に移動されて、可動ガラスの平面方向に移動可能になる。このため、可動ガラスは、ドア本体の内部に入ることなく平面方向に移動可能となり、窓領域を開口させることができる。ゆえに、ドア本体の内部構造と干渉することを防止できる。
【００１２】
また、ドア本体の内部構造を設けているか否かにかかわらず、ドア本体の内部に可動ガラスが下降するスペースを設ける必要もなく、内部空間の節約につながる。また、ドアのデザイン自由度が高くなり、先進性のあるデザインの創出につながる。
【００１３】
また、窓領域の一部のみが、可動ガラスで被覆されている。このため、窓領域全体を可動ガラスとした場合に比べて、可動ガラスの重量を比較的軽くすることができ、可動ガラス移動時に開閉機構に加わる荷重も小さくてすむ。ゆえに、可動ガラスを容易に移動させることができる。
【００１４】
前記「窓領域」とは、窓ガラスで被覆される領域をいう。ドア本体に窓枠が設けられている場合には、窓枠の中に形成された領域をいい、また、ドア本体に窓枠がない場合には、車両用ドアが閉じている場合の、ドア本体と車体との間に形成される領域をいう。
【００１５】
前記開閉機構は、前記可動ガラスの車体内側に固定された基部、及び該基部から車両内側に突出し前記可動ガラスの回動中心となる支持軸を有する支持部材と、前記ドア本体に固定され前記支持軸を進退可能に収容する収容部材と、前記収容部材の内部に収容され、一端が該収容部材に支持され他端が前記支持軸に支持されて、前記可動ガラスが前記内側位置に向けて後退するように該支持軸を車体内側に付勢する付勢部材と、操作位置と非操作位置の間を移動可能に前記基部に保持され、該非操作位置に位置するときに、前記付勢部材により前記支持軸を車体内側に向けて後退させて前記可動ガラスを前記内側位置に位置させ、該操作位置に位置するとき、前記付勢部材に抗して前記可動ガラスが前記外側位置に向けて前進するように、前記支持軸を車両外側に移動させる操作部材と、を備える。
【００１６】
この場合には、操作部材が非操作位置に移動されているときには、付勢部材により支持軸を有する支持部材が車体内側に引き込まれる。支持部材に固定されている可動ガラスは、車体内側に付勢され、固定ガラスと略同一面上の内側位置に保持された状態で閉止される。
【００１７】
可動ガラスを閉止状態から開くときには、操作部材を操作位置に移動させて付勢部材に抗して支持部材を、車体外側に飛び出させる。可動ガラスは、車体外側の外側位置に移動され、平面方向に移動可能となり、開くことができる。
【００１８】
このように、上記構成によれば、簡素な構成で、可動ガラスを、ドア本体の内部に進入させることなく、開閉させることができ、製造コストを低くすることができる。また、開閉機構が簡素であるため、小型化することができ、重量低減化につながる。
【００１９】
（２）前記可動ガラスの車体内側に対向する面の縁部であって、前記固定ガラスの縁部に係合する部分には、前記可動ガラスが閉止しているときに前記固定ガラスの縁部に当接する弾性部材からなる突条が設けられていることが好ましい。この場合には、可動ガラスの閉止時に、可動ガラスに固定された弾性部材が、固定ガラスに密接する。このため、可動ガラスと固定ガラスとの間に隙間が生じにくい。また、可動ガラスのガタつきを抑制できる。
【００２０】
（３）前記可動ガラスの閉止時に前記固定ガラスの前記可動ガラスと当接する縁部には、前記可動ガラスの前記突条に当接する部分に、樹脂フレームが固定されていることが好ましい。この場合には、固定ガラスの縁部に設けられた樹脂フレームに、可動ガラスの突条が弾接する。このため、固定ガラスと可動ガラスとの間の隙間をより一層抑制できるとともに、可動ガラスのガタつきも抑制される。
【発明の効果】
【００２１】
本発明の車両用ドアによれば、可動ガラスの閉止状態から開くときには、可動ガラスを固定ガラスと略同一面を形成する内側位置から、車体外側の外側位置まで移動させて、平面方向に移動可能としている。このため、可動ガラスをドア本体の内部に進入させることなく、円滑に開閉させることができ、ドアのデザイン自由度が高い。
【図面の簡単な説明】
【００２２】
【図１】本発明の実施形態に係る車両用ドアを車体外側から見た斜視図である。
【図２】実施形態に係る、車両用ドアを車体内側からみた斜視図である。
【図３】実施形態に係る、ドア本体の内部構造を説明するための車両用ドアを車体外側から見た斜視図である。
【図４】実施形態に係る、固定ガラスと可動ガラスの境界部分の断面図である。
【図５】実施形態に係る、可動ガラスの縁部の断面図である。
【図６】実施形態に係る、開閉機構の分解斜視図である。
【図７】実施形態に係る、可動ガラス閉時の開閉機構の平面図である。
【図８】実施形態に係る、可動ガラス開時の開閉機構の平面図である。
【図９】実施形態に係る、可動ガラス閉時の操作部材の断面図である。
【図１０】実施形態に係る、可動ガラス開時の操作部材の断面図である。
【図１１】実施形態に係る、操作部を支持部材に押し込んだときの開閉機構の正面図である。
【図１２】実施形態に係る、可動ガラス開時の開閉機構の正面図である。
【図１３】実施形態に係る、可動ガラスを４５°程度開いたときの車両ドアの斜視図であって、（ａ）は車体外側から見た状態、（ｂ）は車体内側から見た状態を示す。
【図１４】実施形態に係る、可動ガラスを９０°程度開いたときの車両ドアの斜視図であって、（ａ）は車体外側から見た状態、（ｂ）は車体内側から見た状態を示す。
【図１５】実施形態に係る、収容部材を車体外側から見た斜視図である。
【図１６】他の実施形態にかかる車両用ドアを車体内側から見た斜視図である。
【図１７】従来例に係る車両用ドアを備えた車両の側面図である。
【発明を実施するための形態】
【００２３】
本発明の実施形態に係る車両用ドアについて、図面を参照して詳細に説明する。図１及びそれ以後の図面において、前、後、上、下、内、外は、車両用ドアを取り付けた自動車の車体の前、後、上、下、内、外を意味する。
【００２４】
図１に示すように、本実施形態に係る車両用ドア１０は、自動車の車体８の側部に形成された開口部８１に開閉可能に取り付けられている。開口部８１は、前部座席へ入出するための昇降口である。
【００２５】
車両用ドア１０は、ドア本体１と、ドア本体１に形成された窓枠２と、窓枠２の内側に形成された窓領域３とを有する。ドア本体１は、その前方端部に設けられたドアヒンジ１１により、車体８の側部に開閉可能に支持されている。図３に示すように、ドア本体１及び窓枠２の内部には、ハニカム構造体１２が形成されている。ハニカム構造体１２は、隔壁により区画された筒状の多数のセルからなり、車体８の内外方向に隔壁が延びている。
【００２６】
図１、図２に示すように、窓枠２は、ドア本体１の上側に設けられている。窓枠２の内部には、窓領域３が形成されている。窓領域３は、固定ガラス３１と可動ガラス３２からなる窓ガラス３０で被覆される領域である。
【００２７】
ドア本体１は、オレフィン系などの樹脂からなる。また、固定ガラス３１及び可動ガラス３２も、透明な樹脂製の樹脂ガラスであり、その材質は、ポリカーボネート（ＰＣ）、アクリル樹脂（ＰＭＭＡ）などである。
【００２８】
窓領域３の前方側部分の周縁部と後方側部分とは、固定ガラス３１で被覆されている。固定ガラス３１の下縁は、ドア本体１の上縁に嵌合され、固定ガラス３１の前縁、上縁、及び後縁は、窓枠２の車体外側に向く外面に、２色成形やインサート成形により固定されている。
【００２９】
固定ガラス３１の前方側には、開口３１ａが形成されていて、この開口３１ａが、本発明の「窓領域３の残部」に相当する。開口３１ａの縁部全体には、樹脂フレーム３３が固定されている。樹脂フレーム３３は、例えば、ＡＢＳ樹脂、ポリプロピレン、ポリカーボネートなどからなる。図４に示すように、樹脂フレーム３３の断面は、略Ｔ字形状をなし、外周面で固定ガラス３１に嵌合され、内周面では閉止時の可動ガラス３２に当接している。固定ガラス３１と樹脂フレーム３３とは、２色成形又はインサート成形で一体に成形される。
【００３０】
可動ガラス３２は、固定ガラス３１に形成された開口３１ａを開閉可能に被覆している。可動ガラス３２の車体内側に対面する内側面には、突条３４が突設されている。突条３４は、可動ガラス３２の内側面の全周縁に連続して設けられている。図５に示すように、突条３４は、半球円形状であり、ゴム材（弾性部材）からなる。可動ガラス３２の全周縁の内側面には、一般平面部３２ｂよりも若干低い段部３２ｃが形成されていて、この段部３２ｃに突条３４が２色成形又はインサート成形で固定されている。段部３２ｃと一般平面部３２ｂとの間の立壁部には、アンダーカット部３２ｄが形成されている。アンダーカット部３２ｄには、突条３４の底部を内周側に突出させた突出部３４ａが嵌合されて、突条３４が可動ガラス３２から外れることを防止している。
【００３１】
可動ガラス３２の閉時には、突条３４は、固定ガラス３１に固定された樹脂フレーム３３に当接している。突条３４が樹脂フレーム３３に当接する部分は、突条３４の内周側に突出した半円球状部分の先端３４ｂである。
【００３２】
固定ガラス３１に固定されている樹脂フレーム３３と、可動ガラス３２に固定されている突条３４とは、見栄えの点から、同じ色であることがよい。更に、可動ガラス３２の一般平面部３２ｂの段部３２ｃの近傍３２ｅは、見栄えの点から、突条３４と同じ色で塗装するとよい。例えば、樹脂フレーム３３を黒色のポリカーボネートを用いて作製する場合には、突条３４も黒色とし、可動ガラス３２の一般平面部３２ｂの段部３２ｃの近傍３２ｅも黒色に塗装するとよい。
【００３３】
可動ガラス３２は、開閉機構５により開閉される。図６、図７に示すように、開閉機構５は、支持部材５１と、収容部材５２と、付勢部材５３と、操作部材５４とを有する。
【００３４】
支持部材５１は、可動ガラス３２の車体内側に向く表面の比較的下方の位置に固定されている。支持部材５１は、操作部材５４を移動可能に収容する基部５１ａと、基部５１ａの側壁から車体内側に突出する支持軸５１ｂとを一体に有する。基部５１ａは、長尺状の枠体であり、底部が開口している。基部５１ａの底部は、カバー５１ｊで被覆されている。基部５１ａは、車体前後方向に延びるように配置されて、接着、ネジ締結、インサート成形等の手段で可動ガラス３２に固定されている。
【００３５】
基部５１ａの内部には、操作部材５４と、スプリング５５とが収容されている。スプリング５５の一端部は、操作部材５４の側部に係止され、他端は基部５１ａの側部内面から突出する凸部５１ｈに係止されている（図７）。スプリング５５は、操作部材５４を基部５１ａに対して一端部側に向かって移動する方向に付勢されている。
【００３６】
基部５１ａの内部に操作部材５４とスプリング５５とを収容した後、カバー５１ｊを、支持軸５１ｂを配置した側の他端部から、側壁底部近傍の内面に形成された長手方向に延びる溝条に係合させて、一端側に向けてスライドさせる。カバー５１ｊの後端部に屈曲形成された立壁５１ｇを基部５１ａの他端部に当接させる。
【００３７】
操作部材５４の長手方向の一端部は、基部５１ａから外側に突出して、先端に操作部５４ａを設けている。操作部材５４の長手方向の他端部は、先端に向かって徐々に幅を狭める方向に傾斜するテーパー部５４ｂが形成されている。テーパー部５４ｂは、操作部材５４の他端部の車体内側に向く壁面に形成されている。
【００３８】
支持軸５１ｂは、基部５１ａの長手方向の他端部側の車体内側に向く壁面から車体内側に向かって突設されている。図９に示すように、支持軸５１ｂの基端部側には、基部５１ａの中の空間部に通じる円形断面の貫通穴５１ｃが形成されている。また、支持軸５１ｂの軸方向の中間部分には、車体内側に向けて収容部５２ａの幅を拡大させる段部５１ｄが形成されている。支持軸５１ｂには、座金５１ｅ、５１ｆが装着されていて、一方の座金５１ｅは支持軸５１ｂの段部５１ｄに離接可能に係止されている。他方の座金５１ｆは、支持軸５１ｂの先端の端面に突出する係合爪５１ｍに係合されることで、支持軸５１ｂに一体に固定されている。座金５１ｅと座金５１ｆとの間には、付勢部材５３が設けられている。付勢部材５３は、コイルバネであり、一端が座金５１ｅの端面に押接され、他端が座金５１ｆの端面に押接されることで、支持軸５１ｂを車体内側に後退する方向に付勢している。付勢部材５３の一端は収容部材５２に支持され、他端は支持軸５１ｂに支持されることになる。
【００３９】
収容部材５２は、ドア本体１の上縁に、ネジ締結で固定されている。収容部材５２は、固定ガラス３１と可動ガラス３２との境界付近に配設されている。収容部材５２の内部には、車体の内外方向に貫通する収容部５２ａが形成されている。収容部５２ａには、車体外側から支持軸５１ｂが進退自在に挿入されている。収容部５２ａの車体外側の断面は、非円形断面５２ｂであり、支持部材５１の収容軸５１ｂの基端側に形成された非円形断面５１ｋと対応する形状である。支持軸５１ｂは、互いの向きが合致するときには収容部５１ａの中に挿入でき、互いの向きが合致しないときには収容部５１ａには挿入されない。
【００４０】
可動ガラス３２の閉時には、支持軸５１ｂは、収容部５１ａの最も車体内側、即ち奥側に位置している。このときの支持軸５１ｂの段部５１ｄは、収容部５２ａの内周面に形成された段状の座金当接部５２ｃと軸方向の位置がほぼ同じである。
【００４１】
また、収容部５２ａの車体内側の開口周縁には、キャップ５２ｅが嵌合されている。収容部５２ａに車体外側から支持軸５１ｂを挿入した後に、収容部５２ａの車体内側の開口から、座金５１ｅ、付勢部材５３及び座金５１ｆを順に挿入して、これらを支持軸５１ｂに装着させる。最後に、収容部５１ａの車体内側の開口をキャップ５２ｅで閉止する。
【００４２】
図６、図７に示すように、支持軸５１ｂの基端側に形成された貫通穴５１ｃには、円柱状のピン５２ｄが挿入されている。この貫通穴５１ｃは、ピン５２ｄの形状に相応した円形状をもつ。ピン５２ｄの車体内側の一端は、収容部材５２の車体外側の端面に摺動可能に当接しており、ピン５２ｄの車体外側の他端は、支持部材５１の基部５１ａの内部空間に進退可能に突出している。
【００４３】
次に、本実施形態の車両用ドアの作動について説明する、図７に示すように、可動ガラス３２の閉止時には、可動ガラス３２は、固定ガラス３１と同一平面上に位置している。ここで、「固定ガラス３１と同一平面上」とは、可動ガラス３１の平面と固定ガラス３２の平面とが段差のない連続した１つの平面を形成する場合だけでなく、可動ガラス３２と固定ガラス３１の間の境界が互いに嵌り合っている程度に若干段差がある場合も含む。図４に示すように、可動ガラス３２から突設する突条３４は、弾性部材からなり、固定ガラス３１の樹脂フレーム３３に弾接している。また、図７、図９に示すように、可動ガラス３２の閉時には、操作部材５４は基部５１ａの一端側に後退していて、収容部材５２に当接しているピン５２ｄは操作部材５４のテーパー部５４ｂの先端側に位置しているか又はテーパー部５４ｂから離れた位置にある。支持軸５１ｂは、収容部材５２の収容部５２ａの最も奥側、即ち車体内側の内側位置に位置している。
【００４４】
図８、図１０に示すように、可動ガラス３２を閉時から開けるときには、操作部材５４の操作部５４ａを基部５１ａに向けて押し込む。操作部材５４は、基部５１ａの他端側に進出し、操作部材５４のテーパー部５４ｂは、ピン５２ｄの先端に押接されて、徐々に車体外側に移動する。これにともない、操作部材５４を保持している支持部材５１が、車体外側に移動する。可動ガラス３２は、支持部材５１の車体外側への移動に伴って、内側位置から車体外側の外側位置に飛び出す。
【００４５】
支持部材５１の車体外側への移動に伴い、一方の座金５１ｅは収容部材５２の座金当接部５２ｃに保持され、他方の座金５１ｆは支持部材５１の支持軸５１ｂとともに車体外側に移動する。これにより、座金５１ｅと座金５１ｆとの間の距離が狭まり、その間に保持されている付勢部材５３は圧縮されて、付勢力が蓄積される。
【００４６】
固定ガラス３１又は／及び可動ガラス３２が平坦な平板である場合には、可動ガラス３２は、固定ガラス３１と同一平面上の内側位置から車体外側に少なくとも固定ガラス３１の厚み分が移動され、この車体外側に移動された位置が外側位置となる。固定ガラス３１又は／及び可動ガラス３２が車体内外方向に湾曲している場合には、可動ガラス３２の外側位置は、内側位置から車体外側に、少なくとも固定ガラス３１の厚みに加えて、湾曲した両ガラス３１，３２の突出分移動した位置とするとよい。好ましくは、可動ガラス３２の外側位置は、可動ガラス３２が固定ガラス３１と重なったときに固定ガラス３１との接触を防ぐため、更に、固定ガラス３１との間に若干の隙間があく程度まで移動された位置とするとよい。
【００４７】
図１２、図１３、図１４に示すように、可動ガラス３２が外側位置に移動したときに、操作部５４ａを押しながら、操作部材５４を上側に回動させる。可動ガラス３２及び支持部材５１は、操作部材５４とともに回動して、窓領域３の可動ガラス３２で被覆されていた部分が開口する。支持部材５１が回動すると、貫通穴５１ｃは支持軸５１ｂの中心軸を中心に公転する。これにともない、貫通穴５１ｃに挿入されているピン５２ｄも収容部材５２の車体外側の端面を摺接しながら支持軸５１ｂの中心軸を中心に公転する。この間、ピン５２ｄの車体外側の先端は、操作部材５４への当接を維持する。また、支持部材５１の回動にともない支持軸５１ｂの非円形断面５１ｋの向きが、収容部材５２の収容部５２ａの車体外側の非円形断面５２ｂと向きが合致しなくなり、収容部５１ａから非円形断面５２ｂの部分が抜け出た状態を維持しながら回動する。ゆえに、支持部材５１は可動ガラス３２とともに、固定ガラス３１よりも車体外側の外側位置に留まる。
【００４８】
図１２、図１４に示すように、操作部材５４を約９０°回動させると、基部５１ａの側壁が、収容部材５２の車体外側の壁部に板状に形成された当て面５２ｇ（図１５）に当接して、回動が規制される。この位置で、操作部５４ａを放すと、スプリング５５により、操作部材５４が基部５１ａの一端側に後退されて、樹脂フレーム３３に形成された係止部３３ｄに係止される。これにより、可動ガラス３２ががたつくことなく固定ガラス３１に保持される。なお、収容部５２の内にラチェット機構を設け、ユーザーの好みの位置で可動ガラス３２を止められるようにしてもよい。
【００４９】
図１２に示すように、可動ガラス３２が開いているときに操作部５４ａを押し込む。可動ガラス３２は外側位置に位置するため、操作部材５４を下側に回動させると、徐々に可動ガラス３２が閉まる。可動ガラス３２が完全に閉まると、基部５１ａが、樹脂フレーム３３の下部に突設された板状部３３ｅに当接して停止する。このとき、支持部材５１の支持軸５１ｂは、収容部材５２の収容部５２ａと向きが一致して、支持部５１ｂが収容部５２ａに進入可能となる。図７に示すように、操作部５４ａから手を放すと、操作部材５４がスプリング５５の付勢力により基部５１ａの一端側に後退する。付勢部材５３の付勢力により、支持部５１ｂが収容部５２ａに進入するとともにピン５２ｄが貫通穴５１ｃに進入して、支持部材５１が収容部材５２に近接し、支持部材５１が可動ガラス３２とともに車体内側に移動される。可動ガラス３２は、固定ガラス３１と同一平面上の内側位置に戻る。
【００５０】
本例においては、可動ガラス３２は、閉止時には、固定ガラス３１と同一面を形成する内側位置に保持されている。可動ガラス３２を閉状態からあけるときには、可動ガラス３２は、内側位置よりも車体外側の外側位置に移動されて、可動ガラス３２の平面方向に移動可能になる。このため、可動ガラス３２は、ドア本体１の内部に入ることなく、平面方向に回動して、窓領域３を開口させることができる。ゆえに、ドア本体１の内部構造と干渉することを防止できる。
【００５１】
また、ドア本体１の内部構造を設けているか否かにかかわらず、ドア本体１の内部に可動ガラス３２が下降するスペースを設ける必要もなく、内部空間の節約につながる。また、ドアのデザイン自由度が高くなり、先進性のあるデザインの創出につながる。
【００５２】
また、窓領域３の一部のみが、可動ガラス３２で被覆されている。可動ガラス３２は、軽量の樹脂ガラスである。このため、窓領域全体を可動ガラスとした場合に比べて、可動ガラス３２の重量を比較的軽くすることができ、可動ガラス移動時に開閉機構５に加わる荷重も小さくてすむ。ゆえに、可動ガラス３２を容易に移動させることができる。
【００５３】
また、開閉機構５は、支持部材５１と、収容部材５２と、付勢部材５３と、操作部材５４とからなるため、簡素な構成で、可動ガラス３２を開閉することができ、製造コストを低くすることができる。また、開閉機構５の小型化を実現でき、重量低減化にもつながる。
【００５４】
可動ガラス３２の縁部の、固定ガラス３１の縁部に係合する部分には、弾性部材からなる突条３４が形成されている。また、固定ガラス３１の縁部に樹脂フレーム３３を設けている。このため、可動ガラス３２の閉止時に、突条３４が固定ガラス３１に弾接する。このため、可動ガラス３２と固定ガラス３１との間に隙間が生じにくい。また、可動ガラス３２のガタつきを抑制できる。
【００５５】
また、固定ガラス３１と可動ガラス３２は、ともに樹脂製のガラスであり、しかもドア本体１も樹脂製であるため、軽量であり、また断熱効果も高い。また、ドア本体１を金属で作製する場合には溶接誤差が生じるが、本実施形態のドア本体は樹脂性であるため、寸法安定性がよい。
【００５６】
本実施形態においては、可動ガラス３２は、固定ガラス３１の中の開口３１ａを被覆しているが、固定ガラス３１とドア本体１との間、又は固定ガラス３１とドア本体１と窓枠２との間の領域を被覆していてもよい。
【００５７】
また、本実施形態においては、窓枠２がドア本体１に固定されているが、窓枠２がない場合でもよい。すなわち、図１６に示すように、固定ガラス３１と可動ガラス３２とは、ドア閉止時の車体８の側部に開口する開口部８１とドア本体１との間の領域を、窓領域３として、被覆してもよい。
【００５８】
また、本実施形態においては、開閉機構５は、支持軸５１ｂを中心に可動ガラス３２が回動して開口３１ａを開閉しているが、可動ガラス３２は、一旦車体外側に飛び出した後に、前後方向、上下方向などの一方向にスライド移動するものであってもよい。
【００５９】
また、本実施形態においては、ドア本体１及び窓ガラス３０を樹脂製としているが、ドア本体１を金属製とし、窓ガラス３０を樹脂製ではない一般のガラスとしてもよい。また、ドア本体１の内部にはハニカム構造体のような内部構造体を設けなくてもよい。このようなドアについても本発明を適用することができる。
【符号の説明】
【００６０】
１：ドア本体、２：窓枠、３：窓領域、５：開閉機構、８：車体、１０：車両用ドア、３０：窓ガラス、３１：固定ガラス、３１ａ：開口、３２：可動ガラス、３３：樹脂フレーム、３４：突条、５１：支持部材、５１ａ：基部、５１ｂ：支持軸、５１ｃ：貫通穴、５１ｄ：段部、５１ｅ、５１ｆ：座金、５２：収容部材、５２ａ：収容部、５２ｃ：座金当接部、５２ｄ：ピン、５３：付勢部材、５４：操作部材、５４ａ：操作部、５４ｂ：テーパー部、５５：スプリング。
【図１】
0005440865.tif 000002
【図２】
0005440865.tif 000003
【図３】
0005440865.tif 000004
【図４】
0005440865.tif 000005
【図５】
0005440865.tif 000006
【図６】
0005440865.tif 000007
【図７】
0005440865.tif 000008
【図８】
0005440865.tif 000009
【図９】
0005440865.tif 000010
【図１０】
0005440865.tif 000011
【図１１】
0005440865.tif 000012
【図１２】
0005440865.tif 000013
【図１３】
0005440865.tif 000014
【図１４】
0005440865.tif 000015
【図１５】
0005440865.tif 000016
【図１６】
0005440865.tif 000017
【図１７】
0005440865.tif 000018